(57)【要約】【課題】ＬＣＤの発光素子及び操作キー用発光素子における省電力モードの設定が可能な携帯機器であって、省電力モードの実行を容易にした携帯機器を提供する。【解決手段】メインＬＣＤ４のバックライト４ｂ、背面ＬＣＤ８のバックライト８ｂ及び操作キー用ＬＥＤ１５ｂにおける電池節約モードについての設定内容を記憶する省電力モード設定記憶手段と、省電力モード設定記憶手段に記憶された設定内容に基づいて、１回のキー操作によりバックライト４ｂ，８ｂ及び操作キー用ＬＥＤ１５ｂを通常モードから電池節約モードにともに移行させる省電力モード実行手段により構成される。【選択図】          図３
2004153756.tif 000002
【特許請求の範囲】
【請求項１】
ＬＣＤの発光素子及び操作キー用発光素子における省電力モードについての設定内容を記憶する省電力モード設定記憶手段と、省電力モード設定記憶手段に記憶された設定内容に基づいて、１回のキー操作によりＬＣＤの発光素子及び操作キー用発光素子を通常モードから省電力モードにともに移行させる省電力モード実行手段を備えたことを特徴とする携帯機器。
【請求項２】
ＬＣＤはメインＬＣＤと、メインＬＣＤに比べサイズの小さいサブＬＣＤからなり、上記省電力モード設定記憶手段はメインＬＣＤ及びサブＬＣＤのそれぞれについての設定内容を記憶することを特徴とする請求項１に記載の携帯機器。
【請求項３】
上記省電力モード設定記憶手段は輝度データを記憶し、上記省電力モード実行手段は輝度データに基づいて省電力モードに移行させることを特徴とする請求項１または２に記載の携帯機器。
【請求項４】
上記省電力モード設定記憶手段が、輝度データとして発光素子に流れる電流の電流レベルまたは点灯する発光素子数を記憶することを特徴とする請求項３に記載の携帯機器。
【請求項５】
上記省電力モード設定記憶手段は点灯時間データを記憶し、上記省電力モード実行手段は点灯時間データに基づいて省電力モードに移行させることを特徴とする請求項１または２に記載の携帯機器。
【請求項６】
上記省電力モード実行手段が、複数の操作キー中の１つの操作キーの押下に基づいて省電力モードに移行させることを特徴とする請求項１または２に記載の携帯機器。
【発明の詳細な説明】
【０００１】
【発明の属する技術分野】
本発明は、携帯電話機、ＰＨＳまたは携帯情報端末等の携帯機器に係り、より詳しくは、ＬＣＤの発光素子及び操作キー用発光素子における省電力モードの設定が可能な携帯機器に関する。
【０００２】
【従来の技術】
近年、携帯電話機、ＰＨＳまたは携帯情報端末等の携帯機器において、カラーＬＣＤ（液晶表示装置）搭載の機種またはデジタルカメラ搭載の機種が登場するなど機器の高機能化が進むのに伴い、機器における消費電力はますます増える傾向にある。このため、機器に内蔵する電池の消耗が激しくなり、機器の動作可能な時間は短くなる傾向にある。そこで、内蔵する電池の消耗を抑えるために、機器に備わるＬＣＤの発光素子及び操作キー用の発光素子における消費電力を低減させる省電力モードの設定が可能な携帯機器が普及しつつある。
【０００３】
従来の携帯機器としては、例えば、特許文献１に記載の携帯端末装置がある。この携帯端末装置は、機器に実装された複数の機能より任意の機能を選択するキー操作手段と、キー操作手段により選択された機能を書換え可能に格納する格納手段と、格納手段に格納された１の機能を読み出す１または複数の割当てキーを備え、それぞれの割当てキーの押下により直接対応する一の機能を実現可能に構成される。
【０００４】
【特許文献１】
特開平９−１８９４５号公報
【０００５】
【発明が解決しようとする課題】
しかしながら、上述したような従来の携帯機器では、ＬＣＤの発光素子及び操作キー用の発光素子における消費電力を低減させるのに、それぞれの省電力モードの設定を個別に実行しなければならなかった。このため、電池を節約する機能があるにもかかわらず、ＬＣＤの発光素子及び操作キー用の発光素子を通常モードから省電力モードにすべて移行させるのが面倒なため、それらの省電力機能が使用されず、電池の消耗が抑えられていないといった問題があった。
【０００６】
本発明は、上記事情に鑑みてなされたものであり、ＬＣＤの発光素子及び操作キー用発光素子における省電力モードの実行を容易にした携帯機器を提供することを目的としている。
【０００７】
【課題を解決するための手段】
本発明による携帯機器は、ＬＣＤの発光素子及び操作キー用発光素子における省電力モードについての設定内容を記憶する省電力モード設定記憶手段と、省電力モード設定記憶手段に記憶された設定内容に基づいて、１回のキー操作によりＬＣＤの発光素子及び操作キー用発光素子を通常モードから省電力モードにともに移行させる省電力モード実行手段により構成される。
【０００８】
この様な構成によれば、ＬＣＤの発光素子及び操作キー用発光素子における省電力モードの設定を１回のキー操作により実行することができる。
【０００９】
【発明の実施の形態】
実施の形態１．
図１は、本発明の実施の形態１による携帯電話機の外観構成の一例を示した正面図であり、図２は、図１の携帯電話機の背面図である。本実施の形態の携帯電話機１００は、１回のキー操作によりＬＣＤのバックライト及び操作キー用ＬＥＤにおける省電力モードの設定を実行することができるようになっている。
【００１０】
機器本体１は薄型略直方体形状の樹脂製筐体からなり、アンテナ２、受話スピーカ３、メインＬＣＤ４、操作キー入力部５、送話マイク６、電源ＳＷ７、背面ＬＣＤ８及び電池９を備える。
【００１１】
機器本体１の上面にはアンテナ２が突出して設けられており、アンテナ２は機器本体１に対して出し入れ自在となっている。また、機器本体１の前面上端には受話スピーカ３が設けられ、その下側にはメインＬＣＤ４が設けられている。
【００１２】
メインＬＣＤ４は、通信に関する文字情報等の画像を画面表示する表示手段であり、液晶パネル４ａ及びバックライト（図示せず）からなる。バックライトは１もしくは複数の発光素子からなり、液晶パネル４ａの背面側に配置されている。発光素子は、例えば、ＬＥＤ（発光ダイオード）から構成される。
【００１３】
機器本体１の前面中央部には複数の操作キーからなる操作キー入力部５が設けられている。操作キー入力部５は、上段に終話キー５ａ及び発信キー５ｂ、中段にテンキー５ｃ、下段にファンクションキー５ｄ及び電池節約設定キー５ｅを備える。終話キー５ａは通信を終了するときに使用され、発信キー５ｂは通信を開始するときに使用される。また、テンキー５ｃは数字キー、＊キー及び＃キーからなり、電話番号またはメールアドレスなどの文字情報の入力時に使用される。
【００１４】
ファンクションキー５ｄは、各種機能を起動させる複数のキーからなる。例えば、電話番号またはメールアドレスなどが登録された電話帳の呼び出しモード、電話帳の登録モード及び短縮電話の登録モードを起動させるキーＦ１と、留守番電話メッセージの登録再生モードを起動させるキーＦ２と、メインＬＣＤ４における表示文字数の設定モード、輝度の調整モード及びバックライトの電池節約モード（省電力モード）の設定モードを起動させるキーＦ３と、操作キー入力部５におけるキー操作音設定モード、操作キー用ＬＥＤの点灯設定モード及び電池節約モードの設定モードを起動させるキーＦ４と、背面ＬＣＤ８における輝度の調整モード及びバックライトの電池節約モードの設定モードを起動させるキーＦ５とを備える。
【００１５】
電池節約設定キー５ｅは、メインＬＣＤ４のバックライト、背面ＬＣＤ８のバックライト及び操作キー用ＬＥＤにおける電池節約モード（省電力モード）を起動させるキーである。また、操作キー入力部５における各操作キーは、操作キー用の発光素子としてのＬＥＤ（図示せず）により点灯させることができる。
【００１６】
機器本体１の前面下端には送話マイク６が設けられ、側面には電源ＳＷ７が設けられている。また、機器本体１の背面の中央部上側には背面ＬＣＤ８が設けられている。つまり、背面ＬＣＤ８は機器本体１に関してメインＬＣＤ４の反対側に設けられている。
【００１７】
この背面ＬＣＤ８はメインＬＣＤ４と同様に、文字情報等を画面表示する表示手段であり、液晶パネル８ａ及びバックライト（図示せず）からなっている。背面ＬＣＤ８は、メインＬＣＤ４と比較すると、画面サイズがやや小さいサブＬＣＤであり、時刻または着信メッセージなどを表示する。
【００１８】
機器本体１の背面の中央部下側には電池９が内蔵されている。この電池９は充電可能な二次電池であり、機器に対して電力を供給する電源である。
【００１９】
図３は、図１の携帯電話機の内部構成の一例を示したブロック図である。この携帯電話機１００は、上記したものに加え、ＣＰＵ１０、通信回路１１、メインＬＣＤ制御回路１２、背面ＬＣＤ制御回路１３、キーＳＷ入力回路１４、キーＳＷ制御回路１５、電源制御回路１６、ＲＯＭ１７、ＲＡＭ１８、機能リスト記憶部１９、機能テーブル２０及び電池節約設定テーブル２１により構成される。
【００２０】
ＣＰＵ１０は、ＲＯＭ１７の制御プログラムに基づいて制御を行う中央演算処理装置である。
【００２１】
通信回路１１は、所定の通信制御を行う送受信手段であり、アンテナ２、受話スピーカ３及び送話マイク６に接続されている。通信制御として、例えば、着信があったときには、呼び出し音の鳴動を行う信号が受話スピーカ３へ出力されるとともに、着信を知らせる信号がＣＰＵ１０へ出力される。また、着信に応答したときには、アンテナ２からの受信信号が音声信号に変換されて受話スピーカ３へ出力されるとともに、送話マイク６からの音声信号は送信信号に変換されてアンテナ２へ出力される。
【００２２】
メインＬＣＤ制御回路１２は、メインＬＣＤ４に表示される画像及び輝度の制御を行うものであり、メインＬＣＤ４の液晶パネル４ａ及びバックライト４ｂに接続されている。メインＬＣＤ制御回路１２は、ＣＰＵ１０からの信号に基づいて、液晶パネル４ａへ文字情報等の画像を画面表示する信号の出力を行う。また、バックライト４ｂへ輝度を調整する信号の出力を行う。
【００２３】
背面ＬＣＤ制御回路１３は、メインＬＣＤ制御回路１２と同様に、背面ＬＣＤ８に表示される画像及び輝度の制御を行い、背面ＬＣＤ８の液晶パネル８ａ及びバックライト８ｂに接続されている。キーＳＷ入力回路１４は、操作キー入力部５におけるキー操作の入力処理を行うものであり、ファンクションキー５ｄ及び電池節約設定キー５ｅにおいてキー操作が行われたときには、キー操作を検出し、検出信号がＣＰＵ１０へ出力される。
【００２４】
キーＳＷ制御回路１５は、操作キー入力部５における各操作キーのキー操作音及び照明の制御を行うものであり、ＣＰＵ１０からの信号に基づいて、キー操作音用スピーカ１５ａへ操作音の鳴動を行う信号を出力する。また、操作キー用ＬＥＤ１５ｂへ点灯を行う信号を出力する。電源制御回路１６は、電源ＳＷ７におけるスイッチ操作に基づいて、電池９からの電力供給を制御している。
【００２５】
ＲＯＭ１７は、制御プログラムが格納された記憶装置であり、ＲＡＭ１８は、電話帳登録、短縮電話登録及び留守番電話メッセージなどを記憶する記憶装置である。また、機能リスト記憶部１９は、各種機能の動作プログラムが格納された記憶装置である。機能テーブル２０は、各ファンクションキー５ｄと各種機能をそれぞれ対応させる対応関係を表すテーブルであり、書換え可能な記憶装置ＲＡＭ１８に記憶されている。
【００２６】
電池節約設定テーブル２１は、メインＬＣＤ４のバックライト４ｂ、背面ＬＣＤ８のバックライト８ｂ及び操作キー用ＬＥＤ１５ｂにおける電池節約設定からなるデータテーブルであり、書換え可能な記憶装置ＲＡＭ１８に記憶されている。これらの電池節約設定は、バックライト４ｂ，８ｂ及び操作キー用ＬＥＤ１５ｂの電池節約モードにおけるそれぞれの輝度及び点灯時間からなる。
【００２７】
ここで、輝度は、発光素子に流れる電流の電流レベルに対応づけられている。また、点灯時間は、最後のキー操作から消灯するまでの時間を表している。
【００２８】
図４のステップＳ１０１〜Ｓ１０５は、図１の携帯電話機における動作を示したフローチャートであり、メインＬＣＤ４のバックライト４ｂ、背面ＬＣＤ８のバックライト８ｂ及び操作キー用ＬＥＤ１５ｂにおける電池節約設定についての処理手順の一例を表している。
【００２９】
操作キー入力部５におけるファンクションキー５ｄの１つが押下されると、ＣＰＵ１０は、キーＳＷ入力回路１４を介してキーの押下を検出し、機能テーブル２０に基づいてファンクションキーに割り当てられた動作プログラムを機能リスト記憶部１９から読み出す。この動作プログラムに基づいて、押下されたファンクションキーに割り当てられた機能が起動する（ステップＳ１０１，Ｓ１０２）。
【００３０】
例えば、キーＦ３が押下された場合は、メインＬＣＤ４における表示文字数の設定を行うモード、輝度の調整を行うモード及びバックライト４ｂの電池節約モードの設定を行うモードのいずれかの選択を促す画面がメインＬＣＤ４に表示される。画面表示に従って、いずれかのモードがキー操作により選択されると、選択されたモードが起動する。
【００３１】
ここで、表示文字数の設定を行うモードが選択されたときには、メインＬＣＤ４の表示画面において一度に表示可能な文字数の設定を行う画面が表示され、画面表示に従って設定が行われる。また、輝度の調整を行うモードが選択されたときには、液晶パネル４ａの表示画面におけるコントラスト及びバックライト４ｂの通常の使用モードにおける輝度及び点灯時間を設定する画面が表示される。
【００３２】
バックライト４ｂの電池節約モードの設定を行うモードが選択されたときには、メインＬＣＤ４のバックライト４ｂにおける輝度の設定内容を変更するか否かを照会する画面が表示される（ステップＳ１０３）。
【００３３】
設定内容を変更する場合は、電池節約モードにおける輝度の設定を行う（ステップＳ１０４）。この輝度の設定は、まず、メインＬＣＤ４における電池節約モードのオンオフについて行われる。電池節約モードがオフに設定された場合、電池節約設定キー５ｅが押下されても、メインＬＣＤ４についての電池節約モードは起動しない。次に、バックライト４ｂを構成する各発光素子に流れる電流の電流レベル及び発光素子の点灯時間について行われる。
【００３４】
ここで、電池節約モードにおける輝度は、通常の使用モードにおける輝度と比較して低く設定される。例えば、電池節約モードにおける輝度レベルが、通常の使用モードにおける輝度レベルの１／２以下になるように各発光素子に流れる電流の電流レベルが低く設定される。また、点灯時間についても通常使用モードにおけるよりも短く設定される。
【００３５】
設定が完了すると、ＣＰＵ１０は、設定内容を電池節約設定テーブル２１に格納し（ステップＳ１０５）、設定処理を終了する。また、ステップＳ１０３において設定内容を変更しない場合、設定処理は終了する。
【００３６】
ステップＳ１０１においてキーＦ４もしくはキーＦ５が押下された場合も、キーＦ３が押下された場合と同様の処理が、操作キー入力部５の操作キー用ＬＥＤ１５ｂもしくは背面ＬＣＤ８のバックライト８ｂにおける電池節約モードについて行われる。
【００３７】
この様に、メインＬＣＤ４のバックライト４ｂ、背面ＬＣＤ８のバックライト８ｂ及び操作キー用ＬＥＤ１５ｂのそれぞれにおける電池節約設定が行われ、設定内容が電池節約設定テーブル２１としてＲＡＭ１８に格納される。
【００３８】
ところで、電池節約設定キー５ｅが押下されると、電池節約設定テーブル２１の設定内容に基づいて電池節約モードが起動し、メインＬＣＤ４のバックライト４ｂ、背面ＬＣＤ８のバックライト８ｂ及び操作キー用ＬＥＤ１５ｂが通常使用モードから電池節約モードにともに移行する。また、電池節約モードを解除して通常使用モードに戻すには、再度電池節約設定キー５ｅを押下する。
【００３９】
つまり、１つの操作キーによる１回のキー操作によって電池節約モードのオンオフが行える。１回のキー操作としては、１つのキーの押下または長押し、あるいは、複数キーの同時押しのいずれであっても良いが、１つのキーのキー操作であることが好ましい。
【００４０】
本実施の形態によれば、メインＬＣＤ４のバックライト４ｂ、背面ＬＣＤ８のバックライト８ｂ及び操作キー用ＬＥＤ１５ｂにおけるすべての電池節約モードが１回のキー操作によって実行することができる。しかも、複数の操作キー中の１つの操作キー（電池節約設定キー５ｅ）の押下によって電池節約モードを起動させることができるので、機器の操作性が向上する。このため、電池節約モードの実行が容易となり、これらの省電力機能の使用が促進され、機器における消費電力の低減が図られる。
【００４１】
実施の形態２．
図５のステップＳ２０１〜Ｓ２０５は、本発明の実施の形態２による携帯電話機における電池節約モードについての処理手順の一例を示したフローチャートである。本実施の形態では、１つの操作キーの押下に基づいてすべての電池節約モードについての設定が行えるようになっている。その他の構成は、実施の形態１と同様である。
【００４２】
電池節約設定キー５ｅが、長押し（所定の時間以上の押下）されると、メインＬＣＤ４のバックライト４ｂ、背面ＬＣＤ８のバックライト８ｂ及び操作キー用ＬＥＤ１５ｂにおける各電池節約モードの設定内容の変更を行うモードが起動する（ステップＳ２０１，Ｓ２０２）。長押しでないときは、電池節約モードが実行され（ステップＳ２０５）、処理は終了する。
【００４３】
各電池節約モードの設定内容を変更する場合は、バックライト４ｂ、８ｂ及び操作キー用ＬＥＤ１５ｂの順に、それぞれについて輝度の設定を行う（ステップＳ２０３）。設定がすべてについて完了すると、設定内容は電池節約設定テーブル２１に格納され（ステップＳ２０４）、処理は終了する。
【００４４】
本実施の形態によれば、電池節約に関する機能の設定が１つの操作キーに基づいて行うことができ、機器の操作性がより向上する。
【００４５】
実施の形態３．
図６のステップＳ２０１，２０２，２０５，３０１〜Ｓ３０５は、本発明の実施の形態３による携帯電話機における電池節約モードについての処理手順の一例を示したフローチャートである。本実施の形態では、電池節約モードの設定においてメインＬＣＤ４の輝度が低く設定されれば、背面ＬＣＤ８の輝度も低く設定されるようになっている。本実施の形態におけるステップＳ３０１〜Ｓ３０５の処理は、図５のステップＳ２０３，Ｓ２０４の処理手順の代わりに実行される。その他の構成は、実施の形態２と同様である。
【００４６】
ステップＳ２０２において各電池節約モードの設定内容を変更する場合、まず、メインＬＣＤ４のバックライト４ｂについて輝度の設定が行われる。この輝度の設定において、輝度が通常の使用モードと比較して低く設定されると、背面ＬＣＤ８のバックライト８ｂにおける輝度についてもバックライト４ｂと同様に低く設定され、それぞれの設定内容が電池節約設定テーブル２１に格納される（ステップＳ３０４，Ｓ３０５）。
【００４７】
メインＬＣＤ４の輝度が低く設定されなかったときは、次に、背面ＬＣＤ８のバックライト８ｂについて輝度の設定が行われる。設定内容は電池節約設定テーブル２１に格納される。
【００４８】
本実施の形態によれば、メインＬＣＤ４の輝度を低く設定すると背面ＬＣＤ８の輝度の設定を行う必要がなく、背面ＬＣＤ８と比較して消費電力が大きいメインＬＣＤ４についての電池節約モードの設定が優先的に処理されるので、輝度の設定における手間が省けるとともに、機器の消費電力が効果的に低減できる。
【００４９】
上記各実施の形態において、輝度は発光素子に流れる電流の電流レベルに対応づけられているが、点灯する発光素子数に対応づけても良い。また、電池節約設定キー５ｅの押下の代わりに、従来から備わる操作キーの長押しもしくは複数の操作キーの同時押しによって、電池節約モードが起動するようにしても良い。
【００５０】
【発明の効果】
以上、説明したように本発明の携帯機器によれば、ＬＣＤの発光素子及び操作キー用発光素子における省電力モードの設定を１回のキー操作によって実行することができ、省電力モードの実行が容易となるので、省電力モードの使用を促進することができる。
【図面の簡単な説明】
【図１】本発明の実施の形態１による携帯電話機の外観構成の一例を示した正面図である。
【図２】図１の携帯電話機の背面図である。
【図３】図１の携帯電話機の内部構成の一例を示したブロック図である。
【図４】図１の携帯電話機における動作を示したフローチャートである。
【図５】本発明の実施の形態２による携帯電話機における電池節約モードについての処理手順の一例を示したフローチャートである。
【図６】本発明の実施の形態３による携帯電話機における電池節約モードについての処理手順の一例を示したフローチャートである。
【符号の説明】
１  機器本体、２  アンテナ、３  受話スピーカ、４  メインＬＣＤ、
４ａ，８ａ  液晶パネル、４ｂ，８ｂ  バックライト、５  操作キー入力部、
５ａ  終話キー、５ｂ  発信キー、５ｃ  テンキー、
５ｄ  ファンクションキー、５ｅ  電池節約設定キー、６  送話マイク、
７  電源ＳＷ、８  背面ＬＣＤ、９  電池、１０  ＣＰＵ、１１  通信回路、
１２  メインＬＣＤ制御回路、１３  背面ＬＣＤ制御回路、
１４  キーＳＷ入力回路、１５  キーＳＷ制御回路、
１５ａ  キー操作音用スピーカ、１５ｂ  操作キー用ＬＥＤ、
１６  電源制御回路、１７  ＲＯＭ、１８  ＲＡＭ、１９  機能リスト記憶部、
２０  機能テーブル、２１  電池節約設定テーブル、１００  携帯電話機
【図１】
2004153756.tif 000003
【図２】
2004153756.tif 000004
【図３】
2004153756.tif 000005
【図４】
2004153756.tif 000006
【図５】
2004153756.tif 000007
【図６】
2004153756.tif 000008